(57)【要約】【課題】広告等の情報が挿入されたメッセージをより確実に送信できる情報配信システム、端末装置、情報配信方法及びプログラムを提供する。【解決手段】情報配信システム１００は送信端末１１０、広告情報サーバ１２０を含む。送信端末１１０の送信手段１１１は、メッセージの送信要求に応じ、広告情報サーバ１２０に広告情報の送信を要求し、広告情報サーバ１２０から広告情報を受信し、メッセージに広告情報を挿入し、受信端末２００に宛ててメッセージを送信する。広告情報サーバ１２０の広告情報蓄積手段１２１は広告情報を蓄積し、広告情報提供手段１２２は、送信手段１１１の要求に応じ、広告情報蓄積手段１２１から広告情報を取得し、送信手段１１１に送信する。【選択図】図１
2014002599.tif 000002
【特許請求の範囲】
【請求項１】
送信端末と広告情報サーバとを含む情報配信システムであって、
前記送信端末は、
メッセージの送信要求に応じ、前記広告情報サーバに広告情報の送信を要求し、前記広告情報サーバから前記広告情報を受信し、前記メッセージに前記広告情報を挿入し、受信端末に宛てて前記メッセージを送信する送信手段を含み、
前記広告情報サーバは、
前記広告情報を蓄積する広告情報蓄積手段と、
前記送信手段の前記要求に応じ、前記広告情報蓄積手段から前記広告情報を取得し、前記送信手段に送信する広告情報提供手段とを含む
情報配信システム。
【請求項２】
メッセージの送信要求に応じ、広告情報サーバに広告情報の送信を要求し、前記広告情報サーバから前記広告情報を受信し、前記メッセージに前記広告情報を挿入し、受信端末に宛てて前記メッセージを送信する送信手段を含む
送信端末。
【請求項３】
送信端末が、メッセージの送信要求に応じ、広告情報サーバに広告情報の送信を要求するステップと、
前記広告情報サーバが、前記要求に応じ、記憶手段から前記広告情報を取得し、前記送信端末に送信するステップと、
前記送信端末が、前記広告情報サーバから前記広告情報を受信するステップと、
前記送信端末が、前記メッセージに前記広告情報を挿入し、受信端末に宛てて前記メッセージを送信するステップとを含む
情報配信方法。
【請求項４】
送信端末が、
メッセージの送信要求に応じ、広告情報サーバに広告情報の送信を要求するステップと、
前記広告情報サーバから前記広告情報を受信するステップと、
前記メッセージに前記広告情報を挿入し、受信端末に宛てて前記メッセージを送信するステップとを含む
情報配信方法。
【請求項５】
コンピュータに、請求項３又は請求項４のいずれか１項に記載の方法を実行させるためのプログラム。
【発明の詳細な説明】
【技術分野】
【０００１】
本発明は、情報配信システム、端末装置、情報配信方法及びプログラムに関し、例えば広告等の情報が挿入されたメッセージをより確実に送信する技術に関する。
【背景技術】
【０００２】
端末装置間で送受信されるメッセージ、例えば電子メールやショートメッセージ（ＳＭＳ）などに、広告など任意の情報を挿入するコンピュータシステムが知られている。
【０００３】
例えば、特許文献１及び特許文献２には、端末装置間における電子メールの送受信を制御するサーバ装置が、その電子メールに動画データ又は画像データが添付されている場合に、その動画データ又は画像データ内に広告情報を挿入することが記載されている。
【先行技術文献】
【特許文献】
【０００４】
【特許文献１】特開２００５−０２５３１８号公報
【特許文献２】特開２００５−１４１７１１号公報
【発明の概要】
【発明が解決しようとする課題】
【０００５】
しかしながら、特許文献１及び特許文献２のように、特定の装置が広告情報の挿入及びメッセージの配信制御を実施する構成においては、以下のような問題点があった。
【０００６】
上記装置によるメッセージの配信先であって、受信側端末装置に対するメッセージ配信を行うサービスプロバイダ、例えば携帯電話キャリア、インターネットサービスプロバイダ及びアプリケーションサービスプロバイダ等は、メッセージを大量に配信する配信元、すなわち上記装置に対して様々な規制を行う場合がある。
【０００７】
例えば、サービスプロバイダは、単位時間あたり一定数以上のメッセージ配信、特定エリアに対する一定数以上のメッセージ配信、一定数又は一定時間以上の送信セッション占有、一定サイズ以上のメッセージの送信要求、無効なヘッダを含むメッセージの送信要求等を検知すると、それらのメッセージの配信元に対して、配信要求の拒否、配信数や配信スピードの制限等の規制を行うことがある。
【０００８】
また、これらの規制の基準は公開されない場合が多く、サービスプロバイダによってもまちまちである。
【０００９】
さらに、これらの規制は、受信側のサービスプロバイダだけでなく、送信側のサービスプロバイダにおいても実施されることが少なくない。
【００１０】
よって、上記装置においては、これらの規制等に起因して、メッセージを確実に受信側端末に配信できない場合があった。
【００１１】
そこで今日、様々なノウハウを駆使し、これらの規制にかからないよう配信制御を行うメッセージ配信装置及びサービスが提供されている。
【００１２】
しかしながら、これらのメッセージ配信装置及びサービスを実現するには、高度な運用技術や豊富な経験が要求される。また、専門業者等が提供するこれらのメッセージ配信装置及びサービスを利用するにしても、一般に多大なコストが必要である。
【００１３】
本発明は、このような問題点を解決するためになされたものであり、広告等の情報が挿入されたメッセージをより確実に送信できる情報配信システム、端末装置、情報配信方法及びプログラムを提供することを目的とする。
【００１４】
その他の課題と新規な特徴は、本明細書の記述及び添付図面から明らかになるであろう。
【課題を解決するための手段】
【００１５】
本発明に係る情報配信システムは、送信端末と広告情報サーバとを含む情報配信システムであって、前記送信端末は、メッセージの送信要求に応じ、前記広告情報サーバに広告情報の送信を要求し、前記広告情報サーバから前記広告情報を受信し、前記メッセージに前記広告情報を挿入し、受信端末に宛てて前記メッセージを送信する送信手段を含み、前記広告情報サーバは、前記広告情報を蓄積する広告情報蓄積手段と、前記送信手段の前記要求に応じ、前記広告情報蓄積手段から前記広告情報を取得し、前記送信手段に送信する広告情報提供手段とを含むものである。
【００１６】
本発明に係る送信端末は、メッセージの送信要求に応じ、広告情報サーバに広告情報の送信を要求し、前記広告情報サーバから前記広告情報を受信し、前記メッセージに前記広告情報を挿入し、受信端末に宛てて前記メッセージを送信する送信手段を含むものである。
【００１７】
本発明に係る情報配信方法は、送信端末が、メッセージの送信要求に応じ、広告情報サーバに広告情報の送信を要求するステップと、前記広告情報サーバが、前記要求に応じ、記憶手段から前記広告情報を取得し、前記送信端末に送信するステップと、前記送信端末が、前記広告情報サーバから前記広告情報を受信するステップと、前記送信端末が、前記メッセージに前記広告情報を挿入し、受信端末に宛てて前記メッセージを送信するステップとを含むものである。
【００１８】
本発明に係る他の情報配信方法は、送信端末が、メッセージの送信要求に応じ、広告情報サーバに広告情報の送信を要求するステップと、前記広告情報サーバから前記広告情報を受信するステップと、前記メッセージに前記広告情報を挿入し、受信端末に宛てて前記メッセージを送信するステップとを含むものである。
【００１９】
本発明に係るプログラムは、上記のいずれか１つの情報配信方法をコンピュータに実行させるためのプログラムである。
【発明の効果】
【００２０】
本発明により、広告等の情報が挿入されたメッセージをより確実に送信できる情報配信システム、端末装置、情報配信方法及びプログラムを提供することができる。
【図面の簡単な説明】
【００２１】
【図１】本発明の実施の形態１の情報配信システム１００の構成を示す図である。
【図２】本発明の実施の形態１の送信端末１１０の処理を示す図である。
【図３】本発明の実施の形態１の広告情報サーバ１２０の処理を示す図である。
【図４】本発明の実施の形態１の情報配信システム１００の処理を示す図である。
【図５（ａ）】従来のシステムの課題を示す図である。
【図５（ｂ）】本発明の実施の形態１の情報配信システム１００の技術的効果を示す図である。
【発明を実施するための形態】
【００２２】
以下、本発明を適用した具体的な実施の形態について、図面を参照しながら詳細に説明する。
【００２３】
＜実施の形態１＞
まず、図１を用いて、本発明の実施の形態１にかかる情報配信システム１００の構成について説明する。
【００２４】
情報配信システム１００は、送信端末１１０及び広告情報サーバ１２０を含む。送信端末１１０は、例えばインターネット、公衆網、専用線、移動体通信網等の通信網等を介し、広告情報サーバ１２０、及び情報配信システム１００の外部にある受信端末２００等と通信可能に接続される。
【００２５】
送信端末１１０は、制御プログラム等を格納する記憶装置、制御プログラムに基づいて各種処理を実行する制御装置、広告情報サーバ１２０や受信端末２００等との通信を制御する通信装置等のハードウェアを含む情報処理装置である。送信端末１１０には、例えば携帯電話等の携帯端末、パーソナルコンピュータ（ＰＣ）等が含まれる。
【００２６】
送信端末１１０は、送信手段１１１を含む。ここで、送信手段１１１は、上述のハードウェアと制御プログラムとにより実現される論理的な処理手段である。
【００２７】
送信手段１１１は、他の処理手段、例えば所定のアプリケーションプログラムが出力するメッセージ送信要求に応じ、メッセージを生成し、受信端末２００に宛ててメッセージを送出する機能を実現する。また、送信手段１１１は、メッセージを生成する際、広告情報サーバ１２０に対し広告情報を要求し、取得した広告情報をメッセージに挿入する。
【００２８】
広告情報サーバ１２０は、制御プログラム等を格納する記憶装置、制御プログラムに基づいて各種処理を実行する制御装置、送信端末１００との通信を制御する通信装置等のハードウェアを含む情報処理装置である。広告情報サーバ１２０は、例えばサーバコンピュータであるが、必ずしも単一の装置である必要はなく、複数の装置の分散処理により実現されるものであってよい。
【００２９】
広告情報サーバ１２０は、広告情報蓄積手段１２１、広告情報提供手段１２２を含む。ここで、広告情報蓄積手段１２１、広告情報提供手段１２２は、上述のハードウェアと制御プログラムとにより実現される論理的な処理手段である。
【００３０】
広告情報蓄積手段１２１は、送信手段１１１においてメッセージに挿入される広告情報を予め蓄積しておくための記憶手段、例えばデータベースである。広告情報蓄積手段１２１は、例えばスポンサー等が管理する図示しないサーバ装置等から広告情報サーバ１２０に入力される広告情報を保存する。また、広告情報蓄積手段１２１は、これらの広告情報にそれぞれ付加的情報を紐付けて記憶してもよい。この付加的情報は、例えば広告提供手段１２２が適切な広告情報を選択するために用いられる。
【００３１】
広告情報提供手段１２２は、送信端末１１０からの広告情報の送信要求に応じ、広告情報蓄積手段１２１から広告情報を取得し、送信端末１１０に返送する。広告提供手段１２２は、広告情報蓄積手段１２１が蓄積する広告情報の中から、例えば上述の付加的情報を用いて広告情報を選別することができる。
【００３２】
図２及び図３を用いて、情報配信システム１００の動作について説明する。
【００３３】
図２は、送信端末１１０の動作を示すフローチャートである。
【００３４】
Ｓ１０１：送信端末１１０の送信手段１１１が、メッセージ送信要求を受け付ける。ここで、メッセージ送信要求は、例えば送信端末１１０にインストールされたアプリケーションプログラム又は外部の装置等から、送信手段１１１に対して出力される。
【００３５】
メッセージ送信要求には、例えば送信すべきメッセージの内容、及びメッセージの送信先である受信端末２００を特定するための情報（例えばメールアドレス、電話番号、又は端末識別番号等）が含められていてもよい。
【００３６】
また、メッセージ送信要求には、広告情報サーバ１２０に適切な広告を選択させるための情報を含んでいてもよい。これらの情報には、例えば受信端末２００のユーザのプロフィールを示す情報等が含まれる。
【００３７】
送信すべきメッセージの内容、受信端末２００を特定するための情報、広告を選択するための情報等は、それぞれ、メッセージ送信要求に直接含められていてもよく、メッセージ送信要求に含められた識別子等に基づいて送信手段１１１が所定の定義テーブル等を参照することにより得られるものであってもよい。又は、送信手段１１１がこれらの情報を予め保持していてもよい。
【００３８】
Ｓ１０２：送信手段１１１は、広告情報サーバ１２０の広告情報提供手段１２２に対し、広告情報の送信を要求する（広告情報送信要求）。広告情報送信要求は、上述の広告を選択するための情報を含んでいてもよい。
【００３９】
Ｓ１０３：送信手段１１１は、広告情報サーバ１２０の広告情報提供手段１２２から、広告情報を受信する。
【００４０】
Ｓ１０４：送信手段１１１は、Ｓ１０１で取得した送信すべきメッセージの内容に、Ｓ１０３で取得した広告情報を挿入する。
【００４１】
Ｓ１０５：送信手段１１１は、広告情報が挿入されたメッセージを、Ｓ１０１において特定された送信先、すなわち受信端末２００を宛先として送信する。例えば送信端末１１０が携帯電話であれば、通信キャリアのＳＭＴＰサーバ又はＳＭＳゲートウェイ等に対し、受信端末２００のメールアドレス又は電話番号等を宛先とし、広告が挿入されたメッセージを本文又は添付ファイルとする電文を送信する。
【００４２】
図３は、広告情報サーバ１２０の動作を示すフローチャートである。
【００４３】
Ｓ２０１：広告情報サーバ１２０の広告情報提供手段１２２が、送信端末１１０の送信手段１１１から、広告情報送信要求を受信する。広告情報送信要求は、上述の広告を選択するための情報を含んでいてもよい。
【００４４】
Ｓ２０２：広告情報提供手段１２２は、広告情報蓄積手段１２１から広告情報を取得する。ここで、広告情報蓄積手段１２１が複数の広告情報を蓄積している場合は、広告情報提供手段１２２は、送信手段１１１に送信すべき広告情報を１乃至複数選択することができる。
【００４５】
ここで、広告情報提供手段１２２は、例えば広告情報送信要求に含まれる広告を選択するための情報と、広告情報蓄積手段１２１が広告情報とともに保持している付加的情報と、を用いて広告を選択してもよい。例えば、広告を選択するための情報が、メッセージの受取人である受信端末２００のユーザプロフィールを示す情報（典型的には性別、年齢、居住地など）であり、付加的情報が、広告のターゲットのユーザプロフィールを示す情報である場合、広告情報提供手段１２２は、受取人のユーザプロフィールに少なくとも部分的に一致するユーザプロフィールに紐付けられた広告情報を選択することができる。広告情報の選択は、その他の様々な公知の手法を用いて行ってもよい。
【００４６】
Ｓ２０３：広告情報提供手段１２２は、Ｓ２０２で取得した広告情報を、送信手段１１１に対し送信する。
【００４７】
図４を用いて、上述の一連の処理によってメッセージに広告情報が挿入される過程を改めて説明する。
【００４８】
送信端末１１０の送信手段１１１は、メッセージ送信要求を検知した時点において、送信すべきメッセージ４０１を保持している。メッセージ４０１は、例えば他のアプリケーションプログラム等から送信手段１１１に引き渡されたもの、又は送信手段１１１が定型文として予め保持しているものである。
【００４９】
送信手段１１１は、メッセージ送信要求を検知すると、広告情報サーバ１２０の広告情報提供手段１２２から広告情報４０２を取得する。この広告情報４０２は、広告情報提供手段１２２が広告情報蓄積手段１２１が蓄積している種々の広告情報から選択、取得したものである。
【００５０】
送信手段１１１は、メッセージ４０１に、取得した広告情報４０２を挿入する。例えばメッセージ４０１及び広告情報４０２がともにテキストであれば、メッセージ４０１の末尾等の任意の位置に広告情報４０２を挿入することができる。また、メッセージ４０１及び広告情報４０２がともに画像、音声又は動画等のメディアファイルであれば、特許文献１又は２に記載の技術等を用いてメッセージ４０１に広告情報４０２を挿入できる。また、メッセージ４０１又は広告情報４０２の少なくともいずれか一方を電子メール等の添付ファイルとすることもできる。メッセージ４０１への広告情報４０２の挿入は、その他の様々な公知の手法を用いて行ってもよい。
【００５１】
送信手段１１１は、広告情報４０２が挿入されたメッセージ４０１を、受信端末２００に対し送信する。
【００５２】
図５を用いて、本実施の形態によりもたらされる技術的効果について説明する。
【００５３】
図５（ａ）は、メール配信サーバ５１０が広告情報の挿入及びメッセージの配信制御を実施する公知の構成を示している。
【００５４】
この構成においては、メール配信サーバ５１０が、送信端末１１０ａ乃至１１０ｃからの要求に応じ、メッセージに広告を挿入する。具体的には、メール配信サーバ５１０は広告情報サーバ５２０に対し広告情報の送信を要求し、広告情報を受信し、受信した広告情報をメッセージに挿入する。
【００５５】
その後、メール配信サーバ５１０は、メッセージを受信端末２００ａ乃至２００ｃに対し送信する。この際、メール配信サーバ５１０からのメッセージの送信により発生するトラフィック５３０は、システムの利用者が多いほど増大する。このような特定のノードからの多大なトラフィックは、上述のようにサービスプロバイダ等による規制を招き、結果としてメッセージを確実に配信できない状況が生じ得る。
【００５６】
一方、図５（ｂ）は、本実施の形態の情報配信システム１００によりメッセージを配信する構成を示している。
【００５７】
この構成においては、送信端末１１０ａ乃至１１０ｃそれぞれが、受信端末２００ａ乃至２００ｃに対しメッセージを送信する。図５（ａ）の構成においてメール配信サーバ５１０が行っていた広告情報の挿入処理は、図５（ｂ）の構成においては送信端末１１０ａ乃至１１０ｃそれぞれが実行する。
【００５８】
この構成によれば、受信端末２００ａ乃至２００ｃに対するメッセージの送信元は、送信端末１１０ａ乃至１１０ｃに分散される。そのため、メッセージの送信により発生するトラフィックも５４０ａ乃至５４０ｃに分散され、図５（ａ）の構成に比較して、特定のノードからの多大なトラフィックが発生しにくい。
【００５９】
よって、本実施の形態によれば、メッセージの配信に係る規制、特にネットワークのトラフィック等に基づく配信規制により、広告が挿入されたメッセージが確実に配信できない問題を抑制することができる。
【００６０】
また、本実施の形態によれば、配信規制を回避するための特段のノウハウやコストを要せずに、広告が挿入されたメッセージを確実に配信することができる。
【００６１】
＜実施の形態２＞
本発明を、出願人が先に出願した特願２０１２−０９７５９８に記載の情報報知システムに適用した例を示す。なお、実施の形態１と重複する事項については説明を省略する。
【００６２】
この情報報知システムは、簡単な操作で老人の安否確認を行うためのコンピュータシステムである。情報配信システム１００としての情報報知システムは、送信端末１１０としての第１通信端末、受信端末２００としての第２通信端末を含んでいる。典型的には、第１通信端末のユーザは老人であり、第２通信端末のユーザはその老人の家族である。
【００６３】
第１通信端末は、操作催促部、操作受付部、及び情報報知部を含んでいる。操作催促部は、操作受付部にタッチするようユーザを催促する画面表示を行い、操作受付部は、上記催促に応じユーザが実行するタッチ動作を検出し、情報報知部に対し検出信号を出力する。送信手段１１１としての情報報知部は、検出信号に応じ、第２通信端末に対し所定のメッセージを送信する。
【００６４】
上述の構成に加え、本実施の形態では、第１通信端末と通信可能な広告情報サーバ１２０を情報報知システムに含むものとする。また、本実施の形態における情報報知部は、後述する一連の処理により、メッセージに広告情報を挿入する点に特徴を有する。
【００６５】
情報報知部は、検出信号に応じ、広告情報サーバ１２０に対し広告情報の送信を要求する。広告情報サーバ１２０は、これに応じ情報報知部に広告情報を送信する。情報報知部は、広告情報サーバ１２０から広告情報を受信する。
【００６６】
つぎに、情報報知部は、第２通信端末に送信すべきメッセージに、受信した広告情報を挿入する。例えば、「無事に生活しています」「○○さんより、応答がありました」というテキストメッセージを送信するよう構成されている場合は、そのテキストメッセージの末尾等に「△△サービスを利用してさらに便利に。http://www....」等の広告情報のテキストを挿入することができる。ここで、広告情報サーバが、広告情報を第２通信端末のユーザの属性等に応じカスタマイズ可能であることは勿論である。
【００６７】
最後に、情報報知部は、広告情報の挿入されたメッセージを第２通信端末に対し送信する。
【００６８】
本実施の形態によれば、老人の安否確認等のために送信されるメッセージに広告情報を挿入することができる。これにより、事業者は老人の安否確認等に係る社会的に有意義なサービスを提供するためのコストを、広告情報の提供者等から回収することが可能となり、ユーザに対してはかかるサービスを低廉なコストで提供することができる。
【００６９】
また、本実施の形態によれば、広告が挿入されたメッセージが配信規制等によって確実に配信できないという問題を抑制することができるため、老人の安否確認等のようなメッセージ配信の確実性が要求される業務においても、メッセージに広告を挿入することが可能となる。
【００７０】
また、本実施の形態によれば、配信規制を回避するための特段のノウハウやコストを要せずに、広告が挿入されたメッセージを確実に配信することができる。
【００７１】
なお、本発明は上述した実施の形態のみに限定されるものではなく、本発明の要旨を逸脱しない範囲において種々の変更が可能であることは勿論である。
【００７２】
例えば、実施の形態１では主に送信端末１１０が１つである場合を例にとって説明した。しかしながら、図５（ｂ）に示すように送信端末１１０は複数であってよい。このとき、複数の送信端末１１０は、それぞれ異なる受信端末２００に対しメッセージを送ることも、同じ受信端末２００に対しメッセージを送ることもできる。また、複数の送信端末１１０は、メッセージの送信にあたり、それぞれ異なるネットワークサービス又はサービスプロバイダを介することもでき、それぞれ異なるプロトコルによりメッセージを送信することもできる。
【００７３】
また、広告情報サーバ１２０は、ネットワーク上の公開されたセグメントに配置されていても良く、少なくとも送信端末１１０からはアクセス可能にアクセス制限がなされたセグメントに配置されていてもよい。
【００７４】
また、上述の実施の形態では、本発明を主にハードウェアにより構成されるものとして説明したが、これに限定されるものではなく、任意の処理を、ＣＰＵ（Ｃｅｎｔｒａｌ  Ｐｒｏｃｅｓｓｉｎｇ  Ｕｎｉｔ）にコンピュータプログラムを実行させることにより論理的に実現することも可能である。この場合、コンピュータプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（ｒａｎｄｏｍ  ａｃｃｅｓｓ  ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００７５】
１００  情報配信システム
１１０  送信端末
１１１  送信手段
１２０  広告情報サーバ
１２１  広告情報蓄積手段
１２２  広告情報提供手段
５１０  メール配信サーバ
５２０  広告情報サーバ
【図１】
2014002599.tif 000003
【図２】
2014002599.tif 000004
【図３】
2014002599.tif 000005
【図４】
2014002599.tif 000006
【図５（ａ）】
2014002599.tif 000007
【図５（ｂ）】
2014002599.tif 000008